(57)【要約】【課題】  被監視者が予め定められた行動範囲または行動パターンから逸脱した場合に、被監視者の意図を監視者に連絡可能とする。  【解決手段】 被監視者側の携帯電話装置１に、指紋センサなどの本人および状況認証手段１２と、ＧＰＳなどから位置情報を取得する位置情報取得手段１１を搭載する。位置情報が予め設定された行動範囲から外れたときに、サービスセンター３から監視者の携帯電話装置４に連絡し、被監視者の携帯電話装置１に本人および状況認証を要求する。本人および状況認証結果に基づいて、監視者が被監視者の意志や安全状況を確認可能である。【選択図】  図１
2006350869.tif 000002
【特許請求の範囲】
【請求項１】
被監視者によって携帯される該被監視者側の端末装置であって、
該端末装置の位置情報を位置情報提供手段から取得する位置取得手段と、
監視者または該被監視者によって設定された該被監視者の行動範囲および行動パターン情報を記憶する行動範囲情報記憶手段と、
該監視者の少なくとも連絡先を記憶する監視者情報記憶手段と、
該位置情報と該行動範囲情報記憶手段に記憶された範囲との関係を検出する行動検出手段と、
該位置情報と該記憶された範囲との関係を該監視者側の端末装置の連絡先に連絡するための通信手段と、
該監視者側の端末装置からの要求によって該被監視者本人であることを確認すると共に該被監視者が置かれている状況を確認するための本人および状況認証処理を行う本人および状況認証手段とを有し、
安全かどうかの状況を示す本人および状況認証結果情報が該通信手段により該監視者側の端末装置に連絡される構成とした端末装置。
【請求項２】
被監視者によって携帯される該被監視者側の端末装置であって、
該端末装置の位置情報を位置情報提供手段から取得する位置取得手段と、
サーバとの間で、該位置情報を送ると共に本人および状況認証要求を受けるための通信手段と、
該本人および状況認証要求によって、該被監視者が本人であることを確認すると共に該被監視者が置かれている状況を確認するための本人および状況認証処理を行う本人および状況認証手段とを有し、
安全かどうかの状況を示す本人および状況認証結果情報が該通信手段により該サーバ側に連絡される構成とした端末装置。
【請求項３】
前記本人および状況認証手段は、前記被監視者の意思に応じて選択可能とする複数の本人および状況認証機能を有し、該被監視者により選択された該本人および状況認証機能による前記本人および状況認証結果情報を前記監視者または前記サーバに連絡可能とする請求項１または２に記載の端末装置。
【請求項４】
前記被監視者の意志に応じて選択可能とする複数の本人および状況認証情報を記憶する認証情報記憶手段を有し、
前記本人および状況認証手段は、該認証情報記憶手段に記憶された該本人および状況認証情報を用いて前記本人および状況認証処理を実行する請求項１〜３のいずれかに記載の端末装置。
【請求項５】
前記認証情報記憶手段には、前記被監視者が安全状態であるか、または危険状態であるかを表す前記本人および状況認証情報が登録されている請求項４に記載の端末装置。
【請求項６】
前記本人および状況認証手段は、指紋、虹彩および顔の少なくともいずれかをセンシングするセンサを有し、該センサにより測定した指紋、虹彩および顔の少なくともいずれかの情報と、これに対応して登録された前記本人および状況認証情報としての指紋、虹彩および顔の少なくともいずれかの情報とを照合することにより、前記本人および状況認証処理を実行する請求項１〜５のいずれかに記載の端末装置。
【請求項７】
前記被監視者の意志に応じて選択可能とする複数の本人および状況認証情報として、一の指の指紋情報とこれとは別の指の指紋情報とを有し、該被監視者が該一の指の指紋情報を照合に用いた場合には安全状態を意味し、該被監視者が該別の指の指紋情報を照合に用いた場合には危険状態を意味するように設定されている請求項４〜６のいずれかに記載の端末装置。
【請求項８】
前記監視者情報記憶手段は、複数の監視者側の端末装置の連絡先をその優先順位と共に記憶する請求項１に記載の端末装置。
【請求項９】
前記位置情報提供手段は、ＧＰＳ衛星、該ＧＰＳ衛星以外の衛星によるＤＧＰＳ（Ｄｉｆｆｅｒｅｎｔｉａｌ  ＧＰＳ）を用いた位置補強システム、携帯電話装置の基地局または中継局、またはそれらの組み合わせである請求項１または２に記載の端末装置。
【請求項１０】
前記位置情報を所定の時間毎に記憶する位置情報記憶手段をさらに有する請求項１または２に記載の端末装置。
【請求項１１】
前記位置情報の位置が変化する移動速度を検出する速度検出手段をさらに有し、該位置情報が予め設定された速度以上で変化する場合に、これを前記通信手段を用いて前記監視者側の端末装置の連絡先または前記サーバに連絡する請求項１０に記載の端末装置。
【請求項１２】
前記位置情報の位置が変化する移動速度を検出する速度検出手段をさらに有し、該位置情報が予め設定された時間以上変化しない場合に、これを前記通信手段を用いて前記監視者側の端末装置の連絡先または前記サーバに連絡する請求項１０に記載の端末装置。
【請求項１３】
前記位置情報が、前記行動範囲情報記憶手段に記憶された範囲外である場合に、これを前記通信手段により前記監視者側の端末装置の連絡先または前記サーバに連絡する請求項１に記載の端末装置。
【請求項１４】
前記位置情報が、前記行動範囲情報記憶手段に記憶された範囲内である場合に、所定の時間毎に、これを前記通信手段により前記監視者の連絡先または前記サーバに連絡する請求項１または１３に記載の端末装置。
【請求項１５】
電源が切断されないバックアップ電源手段をさらに有し、
該電源が切られた場合にも、該バックアップ電源手段により該電源をバックアップして、少なくとも前記位置情報取得手段が前記位置情報を取得可能としている請求項１または２に記載の端末装置。
【請求項１６】
前記通信手段により前記監視者側の端末装置と連絡が取れない場合に、前記位置情報記憶手段は、前記位置取得手段により取得された位置情報とそのときの時刻情報とを記憶する請求項１０に記載の端末装置。
【請求項１７】
前記位置情報記憶手段は、前記時刻情報として、ＧＰＳ衛星からの時刻情報を記憶する請求項１６に記載の端末装置。
【請求項１８】
時計手段を有し、
前記位置情報記憶手段は、前記時刻情報として、該時計手段からの時刻を記憶する請求項１６に記載の端末装置。
【請求項１９】
アラーム音を発生させるアラーム出力手段をさらに有し、
前記監視者側の端末装置または前記サーバから前記被監視者側の端末装置への本人および状況認証要求時に該アラーム出力手段により該アラーム音を発生させて前記本人および状況認証要求を報知する請求項１または２に記載の端末装置。
【請求項２０】
前記本人および状況認証要求に対応した端末呼出し音声を記憶し、該記憶した音声を再生する音声出力手段を有し、
前記監視者側の端末装置または前記サーバから前記被監視者側の端末装置への本人および状況認証要求時に該音声出力手段に登録された音声を再生して該本人および状況認証要求を報知する請求項１または２に記載の端末装置。
【請求項２１】
前記被監視者を識別する情報を記憶する被監視者情報記憶手段をさらに有する請求項１または２に記載の端末装置。
【請求項２２】
被監視者側の端末装置を監視するためのサーバであって、
監視者または該被監視者によって設定された該被監視者の行動範囲および行動パターンを記憶する行動範囲情報記憶手段と、
該監視者側の端末装置の少なくとも連絡先を記憶する監視者情報記憶手段と、
該被監視者側の端末装置との間および該監視者側の端末装置との間でそれぞれ通信可能とする通信手段と、
該通信手段を用いて該被監視者側の端末装置から取得した位置情報を記憶する位置情報記憶手段と、
該位置情報と該行動範囲情報記憶手段に記憶された範囲との関係を検出する行動検出手段と、
該通信手段により、該位置情報と該行動範囲情報記憶手段に記憶された範囲との関係が所定関係のときに該被監視者側の端末装置に本人および状況認証要求を実行可能とする認証要求手段とを有するサーバ。
【請求項２３】
前記認証要求手段は、前記関係が所定関係のときにその旨を前記監視者側の端末装置の連絡先に連絡し、該監視者側の端末装置からの要求によって前記被監視者側の端末装置に前記本人および状況認証要求を行う請求項２２に記載のサーバ。
【請求項２４】
前記認証要求手段は、前記関係が所定関係のときに自動的に前記被監視者側の端末装置に前記本人および状況認証要求を行う請求項２２または２３に記載のサーバ。
【請求項２５】
前記所定関係として、前記位置情報が前記行動範囲情報記憶手段に記憶された範囲外になったときに、該範囲内である場合よりも短い時間間隔で、前記通信手段を用いて前記被監視者の端末装置から該位置情報を取得する請求項２２に記載のサーバ。
【請求項２６】
前記所定関係として、前記位置情報が前記行動範囲情報記憶手段に記憶された範囲外になったときに、該範囲内である場合よりも長い時間間隔で、前記通信手段を用いて前記被監視者の端末装置から該位置情報を取得する請求項２２に記載のサーバ。
【請求項２７】
前記被監視者側の端末装置の電源容量が残り少ないと判定した場合に、該電源容量が残り少ないと判明する以前よりも長い時間間隔で、前記通信手段を用いて前記被監視者側の端末装置から前記位置情報を取得する請求項２２または２６に記載のサーバ。
【請求項２８】
前記被監視者側の端末装置の電源容量が残り少ないとの判定は、前記通信手段を用いて該被監視者側の端末装置から前記位置情報を取得する際の受信電圧レベルが所定値によりも低い場合に該電源容量が残り少ないと判定する請求項２７に記載のサーバ。
【請求項２９】
前記監視者情報記憶手段は、複数の監視者側の端末装置の連絡先をその優先順位と共に記憶する請求項２２に記載のサーバ。
【請求項３０】
前記被監視者側の端末装置から前記位置情報を所定時間毎に取得できない場合に、
前記通信手段によって、その旨を、前記監視者情報記憶手段に記憶された前記監視者側の端末装置の連絡先に連絡する請求項２２または２９に記載のサーバ。
【請求項３１】
前記位置情報記憶手段は、前記被監視者側の端末装置から取得された前記位置情報とそのときの時刻情報とを記憶する請求項２２に記載のサーバ。
【請求項３２】
前記被監視者を識別する情報を記憶する被監視者情報記憶手段をさらに有する請求項２２に記載のサーバ。
【請求項３３】
前記位置情報記憶手段は、所定の時間毎に取得した前記位置情報を記憶する請求項２２または３１に記載のサーバ。
【請求項３４】
前記位置情報の位置が変化する移動速度を検出する速度検出手段をさらに有し、該位置情報が予め設定された速度以上で変化する場合に、これを前記通信手段を用いて前記監視者側の端末装置の連絡先に連絡する請求項３３に記載のサーバ。
【請求項３５】
前記位置情報の位置が変化する移動速度を検出する速度検出手段をさらに有し、該位置情報が予め設定された時間以上変化しない場合に、これを前記通信手段を用いて前記監視者側の端末装置の連絡先に連絡する請求項３３に記載のサーバ。
【請求項３６】
前記通信手段により前記監視者側の端末装置と連絡が取れない場合に、前記位置情報記憶手段は、前記位置情報取得手段により取得された位置情報とそのときの時刻情報とを記憶する請求項３３に記載のサーバ。
【請求項３７】
時計手段をさらに有し、
前記位置情報記憶手段は、前記時刻情報として、該時計手段からの時刻を記憶する請求項３６に記載のサーバ。
【請求項３８】
請求項２〜７、９、１５および１９〜２１のいずれかに記載の被監視者側の端末装置と、
請求項２２〜３７のいずれかに記載のサーバと、
該被監視者側の端末装置との間および、該サーバとの間でそれぞれ通信を行う通信手段を有し、該被監視者側の端末装置を監視可能とする監視者側の端末装置とを備え、
該被監視者側の端末装置の位置情報が予め設定された行動範囲または行動パターンから外れたときに、該被監視者側の端末装置または該サーバから該監視者側の端末装置にその旨の連絡を行い、該監視者側の端末装置からの要求に従って該被監視者側の端末装置に本人および状況認証を求めて本人および状況認証処理を行い、本人および状況認証結果情報を該監視者側の端末装置に連絡することにより、該本人および状況認証結果情報に基づいて該被監視者の状況を該監視者側の端末装置に報知させる安全確認システム。
【請求項３９】
請求項１および３〜２１のいずれかに記載の被監視者側の端末装置と、
該被監視者側の端末装置との間で通信を行う通信手段を有し、該被監視者側の端末装置を監視する監視者側の端末装置とを備え、
該被監視者側の端末装置の位置情報が予め設定された行動範囲または行動パターンから外れたときに、該被監視者側の端末装置から該監視者側の端末装置にその旨の連絡を行い、該監視者側の端末装置からの要求に従って該被監視者側の端末装置に本人および状況認証を求めて本人および状況認証処理を行い、本人および状況認証結果情報を該監視者側の端末装置に連絡することにより、該本人および状況認証結果情報に基づいて該被監視者の状況を該監視者側の端末装置に報知させる安全確認システム。
【請求項４０】
請求項２〜７、９、１５および１９〜２１のいずれかに記載の被監視者側の端末装置と、
請求項２２〜３７のいずれかに記載のサーバと、
該被監視者側の端末装置との間および、該サーバとの間でそれぞれ通信を行う通信手段を有し、該被監視者側の端末装置を監視可能とする監視者側の端末装置とを用いて、
該被監視者側の端末装置の位置情報が予め設定された行動範囲または行動パターンから外れたときに、その旨を該サーバから該監視者側の端末装置に連絡を行うステップと、該監視者側の端末装置からの要求に従って該サーバから該被監視者側の端末装置に本人および状況認証を求めるステップと、該被監視者側の端末装置にて行った本人および状況認証の結果情報を該サーバ側に入手して該サーバ側から該監視者側の端末装置に連絡する認証結果情報連絡ステップとを該サーバ側に有し、該本人および状況認証結果情報に基づいて該被監視者の状況を該監視者側の端末装置に報知させるコンピュータ制御による安全確認方法。
【請求項４１】
請求項１および３〜２１のいずれかに記載の被監視者側の端末装置と、
該被監視者側の端末装置との間で通信を行う通信手段を有し、該被監視者側の端末装置を監視する監視者側の端末装置とを用いて、
該被監視者側の端末装置の位置情報が予め設定された行動範囲または行動パターンから外れたときに、その旨を該被監視者側の端末装置から該監視者側の端末装置に連絡を行うステップと、該監視者側の端末装置からの要求に従って該被監視者側の端末装置に本人および状況認証を求めるステップと、該被監視者側の端末装置にて行った本人および状況認証の結果情報を該監視者側の端末装置に連絡する認証結果情報連絡ステップとを該被監視者側の端末装置に有し、該本人および状況認証結果情報に基づいて該被監視者の状況を該監視者側の端末装置に報知させるコンピュータ制御による安全確認方法。
【請求項４２】
前記認証結果情報連絡ステップは、前記本人および状況認証結果情報が本人による認証ではあるが、危険状態を示す認証結果の場合に、「被監視者が危険な状態であり、該被監視者に連絡を取るか、または警察に通報する」旨の意味を示す情報を前記監視者側の端末装置に連絡する請求項４０または４１に記載の安全確認方法。
【請求項４３】
前記認証結果情報連絡ステップは、前記本人および状況認証結果情報が本人による認証であり、通常状態を示す認証結果の場合に、「被監視者が危険な状態ではなく、該被監視者に連絡を取って適切な指示を与える」旨の意味を示す情報を前記監視者側の端末装置に連絡する請求項４０または４１に記載の安全確認方法。
【請求項４４】
前記認証結果情報連絡ステップは、前記本人および状況認証結果情報が本人による認証でない場合、複数回本人および状況認証要求を要求し、さらに一定期間内に本人による認証が得られなかった場合に、「被監視者が危険な状態であるか、または第三者による認証が行われたという異常な状態である」旨の意味を示す情報を前記監視者側の端末装置に連絡する請求項４０または４１に記載の安全確認方法。
【請求項４５】
前記認証結果情報連絡ステップは、前記本人および状況認証処理が行われなかった場合に、該被監視者側の端末装置に対して警告が出力されるように要求するか、または該被監視者側の端末装置に警告を出力し、さらに一定期間内に該本人および状況認証処理が行われなかった場合に、「被監視者が危険な状態である」旨の意味を示す情報を前記監視者側の端末装置に連絡する請求項４０または４１に記載の安全確認方法。
【請求項４６】
請求項４０〜４５のいずれかに記載の安全確認方法の各ステップをコンピュータに実行させるための制御プログラム。
【請求項４７】
請求項４６の制御プログラムが格納されたコンピュータ読み取り可能な可読記録媒体。
【発明の詳細な説明】
【技術分野】
【０００１】
本発明は、安全のために監視が必要な老人や子供などの被監視者が誘拐などの事件に遭遇した場合など、被監視者の所在地と安全状況などの現在置かれている状況を確認可能とする安全確認システム、これを用いた安全確認方法、これらに用いられる被監視者側の端末装置およびサーバ、この安全確認方法をコンピュータに実行させるための制御プログラムおよびこれを記録した可読記録媒体に関する。
【背景技術】
【０００２】
従来、被監視者の行動範囲や行動パターンをＧＰＳ付き携帯電話装置を用いて監視するこの種の安全確認システムとして、例えば特許文献１に開示されているエリア監視システムがある。
【０００３】
図１１は、特許文献１に開示されている従来のエリア監視システムの概略構成例を示すブロック図である。
【０００４】
図１１において、従来のエリア監視システム１００は、被監視者側によって携帯されるＧＰＳ付携帯電話装置１０１と、ＧＰＳ付携帯電話装置１０１に対して位置検索処理を行う位置検索センター１０２およびサービスセンター１０３と、監視者側によって携帯され、異常時にサービスセンター１０３から情報提供される携帯電話装置１０４と、ＧＰＳ付携帯電話装置１０１の位置情報を提供可能とするＧＰＳ衛星１０５および基地局・中継局１０６とを有している。
【０００５】
位置検索センター１０２は、ＧＰＳ付携帯電話装置１０１に対して所定スケジュールで定期的に位置情報を要求し、ＧＰＳ付携帯電話装置１０１からの位置情報を受け取るものである。
【０００６】
サービスセンター１０３は、位置検索センター１０２に対して位置情報を要求し、ＧＰＳ付携帯電話装置１０１から得た位置検索センター１０２からの位置情報を受け取って、その位置情報が予め監視者によって定められたエリア外もしくは所定のエリア内であったとき、あるいは、所定時間内の位置情報の変化が異常であったときに、監視者側の携帯電話装置１０４にその旨を電子メールで通報するものである。
【０００７】
上記構成により、まず、サービスセンター１０３から位置検索センター１０２に被監視者側のＧＰＳ付携帯電話装置１０１の位置情報検索要求を行う。
【０００８】
次に、位置検索センター１０２によって、ＧＰＳ付携帯電話１０１から定期的に得ていたＧＰＳ付携帯電話装置１０１の位置情報をサービスセンター１０３に送る。
【０００９】
このようにして、位置検索センター１０２からＧＰＳ付携帯電話１０１の位置情報を得たサービスセンター１０３は、その得た位置情報が予め監視者によって定められたエリア外もしくは所定のエリア内であったとき、あるいは、所定時間内の位置情報の変化が異常であったときに、監視者側の携帯電話装置１０４に対してその異常内容を電子メールで送る。
【００１０】
これによって、ＧＰＳ付携帯電話装置１０１を用いて、安全のために監視が必要な老人や子供などの被監視者が特定のエリアから逸脱したときもしくは、これとは逆に、特定のエリア内に侵入したとき、あるいは、被監視者の動きに異常があったときもしくは一定時間に動きがなかったときなどに、監視者側がそれを検知することが可能となる。
【特許文献１】特開２００４−３２８０１８号公報
【発明の開示】
【発明が解決しようとする課題】
【００１１】
しかしながら、上記従来のエリア監視システム１００では、老人や子供などの被監視者の動き情報を検知することができるものの、被監視者が自らの意思で特定の行動パターンを逸脱したのか、または脅迫などによって強制的に逸脱させられたのかという被監視者の意図を確認することはできない。
【００１２】
ここで、子供などの被監視者の意図を親などの監視者に知らせるために、音声通話や明らかなＳＯＳボタンを使用する方法では、被監視者が何者かの脅迫を受けている場合などに、被監視者に危険が及ぶ恐れがあるため、被監視者の意図による場合とよらない場合とで、その脅迫者に気付かれないように、同様の手順で被監視者の意図を監視者に知らせる必要がある。
【００１３】
本発明は、上記従来の問題を解決するもので、被監視者が予め定められた行動範囲または行動パターンから逸脱した場合に、被監視者の意図を監視者側が確認することができる安全確認システム、これを用いた安全確認方法、これらに用いられる端末装置およびサーバ、この安全確認方法をコンピュータに実行させるための制御プログラムおよびこれを記録した可読記録媒体を提供することを目的とする。  
【課題を解決するための手段】
【００１４】
本発明の端末装置は、被監視者によって携帯される該被監視者側の端末装置であって、 該端末装置の位置情報を位置情報提供手段から取得する位置取得手段と、監視者または該被監視者によって設定された該被監視者の行動範囲および行動パターン情報を記憶する行動範囲情報記憶手段と、該監視者の少なくとも連絡先を記憶する監視者情報記憶手段と、
該位置情報と該行動範囲情報記憶手段に記憶された範囲との関係を検出する行動検出手段と、該位置情報と該記憶された範囲との関係を該監視者側の端末装置の連絡先に連絡するための通信手段と、該監視者側の端末装置からの要求によって該被監視者本人であることを確認すると共に該被監視者が置かれている状況を確認するための本人および状況認証処理を行う本人および状況認証手段とを有し、安全かどうかの状況を示す本人および状況認証結果情報が該通信手段により該監視者側の端末装置に連絡される構成としており、そのことにより上記目的が達成される。
【００１５】
本発明の端末装置は、被監視者によって携帯される該被監視者側の端末装置であって、 該端末装置の位置情報を位置情報提供手段から取得する位置取得手段と、サーバとの間で、該位置情報を送ると共に本人および状況認証要求を受けるための通信手段と、該本人および状況認証要求によって、該被監視者が本人であることを確認すると共に該被監視者が置かれている状況を確認するための本人および状況認証処理を行う本人および状況認証手段とを有し、安全かどうかの状況を示す本人および状況認証結果情報が該通信手段により該サーバ側に連絡される構成としており、そのことにより上記目的が達成される。
【００１６】
また、好ましくは、本発明の端末装置における。
【００１７】
さらに、好ましくは、本発明の端末装置における本人および状況認証手段は、前記被監視者の意思に応じて選択可能とする複数の本人および状況認証機能を有し、該被監視者により選択された該本人および状況認証機能による前記本人および状況認証結果情報を前記監視者または前記サーバに連絡可能とする。
【００１８】
さらに、好ましくは、本発明の端末装置において、前記被監視者の意志に応じて選択可能とする複数の本人および状況認証情報を記憶する認証情報記憶手段を有し、前記本人および状況認証手段は、該認証情報記憶手段に記憶された該本人および状況認証情報を用いて前記本人および状況認証処理を実行する。
【００１９】
さらに、好ましくは、本発明の端末装置における認証情報記憶手段には、前記被監視者が安全状態であるか、または危険状態であるかを表す前記本人および状況認証情報が登録されている。
【００２０】
さらに、好ましくは、本発明の端末装置における本人および状況認証手段は、指紋、虹彩および顔の少なくともいずれかをセンシングするセンサを有し、該センサにより測定した指紋、虹彩および顔の少なくともいずれかの情報と、これに対応して登録された前記本人および状況認証情報としての指紋、虹彩および顔の少なくともいずれかの情報とを照合することにより、前記本人および状況認証処理を実行する。
【００２１】
さらに、好ましくは、本発明の端末装置において、前記被監視者の意志に応じて選択可能とする複数の本人および状況認証情報として、一の指の指紋情報とこれとは別の指の指紋情報とを有し、該被監視者が該一の指の指紋情報を照合に用いた場合には安全状態を意味し、該被監視者が該別の指の指紋情報を照合に用いた場合には危険状態を意味するように設定されている。
【００２２】
さらに、好ましくは、本発明の端末装置における監視者情報記憶手段は、複数の監視者側の端末装置の連絡先をその優先順位と共に記憶する。
【００２３】
さらに、好ましくは、本発明の端末装置における位置情報提供手段は、ＧＰＳ衛星、該ＧＰＳ衛星以外の衛星によるＤＧＰＳ（Ｄｉｆｆｅｒｅｎｔｉａｌ  ＧＰＳ）を用いた位置補強システム、携帯電話装置の基地局または中継局、またはそれらの組み合わせである。
【００２４】
さらに、好ましくは、本発明の端末装置において、前記位置情報を所定の時間毎に記憶する位置情報記憶手段をさらに有する。
【００２５】
さらに、好ましくは、本発明の端末装置において、前記位置情報の位置が変化する移動速度を検出する速度検出手段をさらに有し、該位置情報が予め設定された速度以上で変化する場合に、これを前記通信手段を用いて前記監視者側の端末装置の連絡先または前記サーバに連絡する。
【００２６】
さらに、好ましくは、本発明の端末装置において、前記位置情報の位置が変化する移動速度を検出する速度検出手段をさらに有し、該位置情報が予め設定された時間以上変化しない場合に、これを前記通信手段を用いて前記監視者側の端末装置の連絡先または前記サーバに連絡する。
【００２７】
さらに、好ましくは、本発明の端末装置における位置情報が、前記行動範囲情報記憶手段に記憶された範囲外である場合に、これを前記通信手段により前記監視者側の端末装置の連絡先または前記サーバに連絡する。
【００２８】
さらに、好ましくは、本発明の端末装置における位置情報が、前記行動範囲情報記憶手段に記憶された範囲内である場合に、所定の時間毎に、これを前記通信手段により前記監視者の連絡先または前記サーバに連絡する。
【００２９】
さらに、好ましくは、本発明の端末装置において、電源が切断されないバックアップ電源手段をさらに有し、該電源が切られた場合にも、該バックアップ電源手段により該電源をバックアップして、少なくとも前記位置情報取得手段が前記位置情報を取得可能としている。
【００３０】
さらに、好ましくは、本発明の端末装置において、前記通信手段により前記監視者側の端末装置と連絡が取れない場合に、前記位置情報記憶手段は、前記位置取得手段により取得された位置情報とそのときの時刻情報とを記憶する。
【００３１】
さらに、好ましくは、本発明の端末装置における位置情報記憶手段は、前記時刻情報として、ＧＰＳ衛星からの時刻情報を記憶する。
【００３２】
さらに、好ましくは、本発明の端末装置において、時計手段をさらに有し、前記位置情報記憶手段は、前記時刻情報として、該時計手段からの時刻を記憶する。
【００３３】
さらに、好ましくは、本発明の端末装置において、アラーム音を発生させるアラーム出力手段をさらに有し、前記監視者側の端末装置または前記サーバから前記被監視者側の端末装置への本人および状況認証要求時に該アラーム出力手段により該アラーム音を発生させて前記本人および状況認証要求を報知する。
【００３４】
さらに、好ましくは、本発明の端末装置において、前記本人および状況認証要求に対応した端末呼出し音声を記憶し、該記憶した音声を再生する音声出力手段を有し、前記監視者側の端末装置または前記サーバから前記被監視者側の端末装置への本人および状況認証要求時に該音声出力手段に登録された音声を再生して該本人および状況認証要求を報知する。
【００３５】
さらに、好ましくは、本発明の端末装置において、前記被監視者を識別する情報を記憶する被監視者情報記憶手段をさらに有する。
【００３６】
本発明のサーバは、被監視者側の端末装置を監視するためのサーバであって、監視者または該被監視者によって設定された該被監視者の行動範囲および行動パターンを記憶する行動範囲情報記憶手段と、該監視者側の端末装置の少なくとも連絡先を記憶する監視者情報記憶手段と、該被監視者側の端末装置との間および該監視者側の端末装置との間でそれぞれ通信可能とする通信手段と、該通信手段を用いて該被監視者側の端末装置から取得した位置情報を記憶する位置情報記憶手段と、該位置情報と該行動範囲情報記憶手段に記憶された範囲との関係を検出する行動検出手段と、該通信手段により、該位置情報と該行動範囲情報記憶手段に記憶された範囲との関係が所定関係のときに該被監視者側の端末装置に本人および状況認証要求を実行可能とする認証要求手段とを有し、そのことにより上記目的が達成される。
【００３７】
また、好ましくは、本発明のサーバにおける認証要求手段は、前記関係が所定関係のときにその旨を前記監視者側の端末装置の連絡先に連絡し、該監視者側の端末装置からの要求によって前記被監視者側の端末装置に前記本人および状況認証要求を行う。
【００３８】
さらに、好ましくは、本発明のサーバにおける認証要求手段は、前記関係が所定関係のときに自動的に前記被監視者側の端末装置に前記本人および状況認証要求を行う。
【００３９】
さらに、好ましくは、本発明のサーバにおける所定関係として、前記位置情報が前記行動範囲情報記憶手段に記憶された範囲外になったときに、該範囲内である場合よりも短い時間間隔で、前記通信手段を用いて前記被監視者の端末装置から該位置情報を取得する。
【００４０】
さらに、好ましくは、本発明のサーバにおける所定関係として、前記位置情報が前記行動範囲情報記憶手段に記憶された範囲外になったときに、該範囲内である場合よりも長い時間間隔で、前記通信手段を用いて前記被監視者の端末装置から該位置情報を取得する。
【００４１】
さらに、好ましくは、本発明のサーバにおいて、前記被監視者側の端末装置の電源容量が残り少ないと判定した場合に、該電源容量が残り少ないと判明する以前よりも長い時間間隔で、前記通信手段を用いて前記被監視者側の端末装置から前記位置情報を取得する。
【００４２】
さらに、好ましくは、本発明のサーバにおいて、前記被監視者側の端末装置の電源容量が残り少ないとの判定は、前記通信手段を用いて該被監視者側の端末装置から前記位置情報を取得する際の受信電圧レベルが所定値によりも低い場合に該電源容量が残り少ないと判定する。
【００４３】
さらに、好ましくは、本発明のサーバにおける監視者情報記憶手段は、複数の監視者側の端末装置の連絡先をその優先順位と共に記憶する。
【００４４】
さらに、好ましくは、本発明のサーバにおいて、前記被監視者側の端末装置から前記位置情報を所定時間毎に取得できない場合に、前記通信手段によって、その旨を、前記監視者情報記憶手段に記憶された前記監視者側の端末装置の連絡先に連絡する。
【００４５】
さらに、好ましくは、本発明のサーバにおける位置情報記憶手段は、前記被監視者側の端末装置から取得された前記位置情報とそのときの時刻情報とを記憶する。
【００４６】
さらに、好ましくは、本発明のサーバにおいて、前記被監視者を識別する情報を記憶する被監視者情報記憶手段をさらに有する。
【００４７】
さらに、好ましくは、本発明のサーバにおける位置情報記憶手段は、所定の時間毎に取得した前記位置情報を記憶する。
【００４８】
さらに、好ましくは、本発明のサーバにおいて、前記位置情報の位置が変化する移動速度を検出する速度検出手段をさらに有し、該位置情報が予め設定された速度以上で変化する場合に、これを前記通信手段を用いて前記監視者側の端末装置の連絡先に連絡する。
【００４９】
さらに、好ましくは、本発明のサーバにおいて、前記位置情報の位置が変化する移動速度を検出する速度検出手段をさらに有し、該位置情報が予め設定された時間以上変化しない場合に、これを前記通信手段を用いて前記監視者側の端末装置の連絡先に連絡する。
【００５０】
さらに、好ましくは、本発明のサーバにおいて、前記通信手段により前記監視者側の端末装置と連絡が取れない場合に、前記位置情報記憶手段は、前記位置情報取得手段により取得された位置情報とそのときの時刻情報とを記憶する。
【００５１】
さらに、好ましくは、本発明のサーバにおいて、時計手段をさらに有し、前記位置情報記憶手段は、前記時刻情報として、該時計手段からの時刻を記憶する。
【００５２】
本発明の安全確認システムは、本発明の上記被監視者側の端末装置と、本発明の上記サーバと、該被監視者側の端末装置との間および、該サーバとの間でそれぞれ通信を行う通信手段を有し、該被監視者側の端末装置を監視可能とする監視者側の端末装置とを備え、 該被監視者側の端末装置の位置情報が予め設定された行動範囲または行動パターンから外れたときに、該被監視者側の端末装置または該サーバから該監視者側の端末装置にその旨の連絡を行い、該監視者側の端末装置からの要求に従って該被監視者側の端末装置に本人および状況認証を求めて本人および状況認証処理を行い、本人および状況認証結果情報を該監視者側の端末装置に連絡することにより、該本人および状況認証結果情報に基づいて該被監視者の状況を該監視者側の端末装置に報知させるものであり、そのことにより上記目的が達成される。
【００５３】
本発明の安全確認システムは、本発明の上記被監視者側の端末装置と、該被監視者側の端末装置との間で通信を行う通信手段を有し、該被監視者側の端末装置を監視する監視者側の端末装置とを備え、該被監視者側の端末装置の位置情報が予め設定された行動範囲または行動パターンから外れたときに、該被監視者側の端末装置から該監視者側の端末装置にその旨の連絡を行い、該監視者側の端末装置からの要求に従って該被監視者側の端末装置に本人および状況認証を求めて本人および状況認証処理を行い、本人および状況認証結果情報を該監視者側の端末装置に連絡することにより、該本人および状況認証結果情報に基づいて該被監視者の状況を該監視者側の端末装置に報知させるものであり、そのことにより上記目的が達成される。
【００５４】
本発明の安全確認方法は、本発明の上記被監視者側の端末装置と、本発明の上記サーバと、該被監視者側の端末装置との間および、該サーバとの間でそれぞれ通信を行う通信手段を有し、該被監視者側の端末装置を監視可能とする監視者側の端末装置とを用いて、 該被監視者側の端末装置の位置情報が予め設定された行動範囲または行動パターンから外れたときに、その旨を該サーバから該監視者側の端末装置に連絡を行うステップと、該監視者側の端末装置からの要求に従って該サーバから該被監視者側の端末装置に本人および状況認証を求めるステップと、該被監視者側の端末装置にて行った本人および状況認証の結果情報を該サーバ側に入手して該サーバ側から該監視者側の端末装置に連絡する認証結果情報連絡ステップとを該サーバ側に有し、該本人および状況認証結果情報に基づいて該被監視者の状況を該監視者側の端末装置に報知させるコンピュータ制御によるものであり、そのことにより上記目的が達成される。
【００５５】
本発明の安全確認方法は、本発明の上記被監視者側の端末装置と、該被監視者側の端末装置との間で通信を行う通信手段を有し、該被監視者側の端末装置を監視する監視者側の端末装置とを用いて、該被監視者側の端末装置の位置情報が予め設定された行動範囲または行動パターンから外れたときに、その旨を該被監視者側の端末装置から該監視者側の端末装置に連絡を行うステップと、該監視者側の端末装置からの要求に従って該被監視者側の端末装置に本人および状況認証を求めるステップと、該被監視者側の端末装置にて行った本人および状況認証の結果情報を該監視者側の端末装置に連絡する認証結果情報連絡ステップとを該被監視者側の端末装置に有し、該本人および状況認証結果情報に基づいて該被監視者の状況を該監視者側の端末装置に報知させるコンピュータ制御によるものであり、そのことにより上記目的が達成される。
【００５６】
また、好ましくは、本発明の安全確認方法における認証結果情報連絡ステップは、前記本人および状況認証結果情報が本人による認証ではあるが、危険状態を示す認証結果の場合に、「被監視者が危険な状態であり、該被監視者に連絡を取るか、または警察に通報する」旨の意味を示す情報を前記監視者側の端末装置に連絡する。
【００５７】
さらに、好ましくは、本発明の安全確認方法における認証結果情報連絡ステップは、前記本人および状況認証結果情報が本人による認証であり、通常状態を示す認証結果の場合に、「被監視者が危険な状態ではなく、該被監視者に連絡を取って適切な指示を与える」旨の意味を示す情報を前記監視者側の端末装置に連絡する。
【００５８】
さらに、好ましくは、本発明の安全確認方法における認証結果情報連絡ステップは、前記本人および状況認証結果情報が本人による認証でない場合、複数回本人および状況認証要求を要求し、さらに一定期間内に本人による認証が得られなかった場合に、「被監視者が危険な状態であるか、または第三者による認証が行われたという異常な状態である」旨の意味を示す情報を前記監視者側の端末装置に連絡する。
【００５９】
さらに、好ましくは、本発明の安全確認方法における認証結果情報連絡ステップは、前記本人および状況認証処理が行われなかった場合に、該被監視者側の端末装置に対して警告が出力されるように要求するか、または該被監視者側の端末装置に警告を出力し、さらに一定期間内に該本人および状況認証処理が行われなかった場合に、「被監視者が危険な状態である」旨の意味を示す情報を前記監視者側の端末装置に連絡する。
【００６０】
本発明の制御プログラムは、本発明の上記安全確認方法の各ステップをコンピュータに実行させるためのものであり、そのことにより上記目的が達成される。
【００６１】
本発明の可読記録媒体は、本発明の上記制御プログラムが格納されたコンピュータ読み取り可能なであり、そのことにより上記目的が達成される。
【００６２】
上記構成により、以下に、本発明の作用について説明する。
【００６３】
本発明にあっては、被監視者側の端末装置に、指紋センサなどの本人および状況認証手段と、ＧＰＳなどと通信することにより位置情報を取得する位置センサなどの位置情報取得手段とが搭載されている。
【００６４】
位置情報取得手段によってＧＰＳ衛星などから取得された被監視者側の端末装置の位置情報が予め設定された行動範囲または行動パターンから外れたときに、それが監視者に連絡され、監視者またはサーバからの要求に従って被監視者側の端末装置に本人および状況認証が求められる。
【００６５】
本人および状況認証結果はサーバを解するなどして監視者に連絡され、その認証結果に基づいて、被監視者の意志を監視者が確認することが可能となる。
【００６６】
例えば、本人および状況認証結果が本人による認証ではあるが、危険状態を示す認証認証が行われた場合には、監視者は被監視者が危険な状態であると判断して、被監視者に連絡を取るか、または警察に通報するなど、対処することが可能となる。
【００６７】
また、本人および状況認証結果が本人による認証であり、通常状態を示す認証が行われた場合には、監視者は被監視者が危険な状態ではないと判断して、被監視者に連絡を取って適切な指示を与えることが可能となる。
【００６８】
さらに、本人および状況認証結果が本人による認証でない場合には、監視者は複数回本人および状況認証を要求して、さらに本人による認証が得られなかった場合、被監視者が危険な状態であるか、または第三者による認証が行われたという異常な状態であると判断して、警察に通報するなど、対処することが可能となる。
【００６９】
さらに、本人および状況認証が行われなかった場合には、被監視者に警告を出力して、一定期間内に認証が行われなかった場合、監視者は被監視者が危険な状態であると判断して、警察に通報するなど、対処することが可能となる。
【発明の効果】
【００７０】
以上のように、本発明によれば、被監視者の位置情報が予め定められた行動範囲または行動パターンから外れた場合に、これを監視者へ連絡し、監視者からの要求に応じて、予め登録された個人認証方法により、被監視者が危険状態であるか、または安全状態であるかを監視者へ知らせることができる。
【００７１】
また、被監視者に携帯される携帯電話装置などの端末装置に指紋センサなどの認証機能を備えることにより、被監視者以外の第三者が本人になりすまして応答できないようにすることができる。
【００７２】
さらに、危険状態であるか安全状態であるかを示す認証情報は被監視者のみが知り得る情報とすれば、第三者に気づかれることなく、監視者に連絡することができる。
【発明を実施するための最良の形態】
【００７３】
以下に、本発明の安全確認システムおよび安全確認方法の実施形態について、図面を参照しながら説明する。
【００７４】
図１は、本発明の実施形態に係る安全確認システムの要部構成例を示すブロック図である。
【００７５】
図１において、本実施形態の安全確認システム１０は、安全のために監視が必要な老人や子供などの被監視者側に携帯され、位置検索処理および、本人および状況認証処理を行う端末装置としての携帯電話装置１と、携帯電話装置１から位置情報および本人および状況認証結果情報を得るサーバとしての位置検索センター２およびサービスセンター３と、監視者側によって携帯され、異常時などにサービスセンター３または携帯電話装置１から情報提供される端末装置としての携帯電話装置４と、被監視者側の携帯電話装置１の位置情報を提供可能とするＧＰＳ衛星５および基地局・中継局６とを有している。
【００７６】
被監視者側の携帯電話装置１は、ＧＰＳ衛星５および基地局・中継局６から自らの位置情報を取得する位置情報取得手段１１と、本人および状況認証処理を行う本人および状況認証手段１２と、位置検索センター２および監視者側の携帯電話装置４との間で通信を行うことを可能とする通信手段１３とを有している。
【００７７】
位置情報取得手段１１は、ＧＰＳ衛星５などと通信を行って自らの位置情報を取得したり、ＧＰＳ衛星５以外の衛星や携帯電話装置の基地局・中継局６と通信を行ってＤＧＰＳを用いた位置補強システムにより位置情報を取得したりする。
【００７８】
本人および状況認証手段１２は、指紋センサなどを用いて本人および状況認証処理を行うものであり、本人の意志に対応する複数の認証情報が登録されて、それとの照合が行われる。なお、ここでは、被監視者に携帯される端末装置として携帯電話装置１を用いているが、必ずしも携帯電話装置である必要はなく、位置情報取得手段１１と本人および状況認証手段１２とを有する端末装置であればよい。
【００７９】
位置検索センター２は、被監視者側の携帯電話装置１に対して所定スケジュールで定期的に位置情報を要求し、被監視者側の携帯電話装置１からの位置情報を受け取るものである。
【００８０】
サービスセンター３は、被監視者の携帯電話装置１の取得位置情報、被監視者の行動範囲および行動パターンおよび監視者の連絡先などを記憶し、監視者との間および被監視者との間での通信を行う。また、サービスセンター３は、位置検索センター２に対して位置情報を要求し、被監視者側の携帯電話装置１から得た位置検索センター２からの位置情報を受け取って、その位置情報が予め監視者によって定められた行動エリア外もしくは所定の行動エリア内であったとき、あるいは、所定時間内の位置情報の変化が異常であったときに、監視者側の携帯電話装置４にその旨を連絡するものである。なお、図１では、位置検索センター２とサービスセンター３とを別々に構成しているが、これらを合わせてサービスセンターとして統一してもよい。
【００８１】
監視者側の携帯電話装置４は、被監視者側の携帯電話装置１との間およびサービスセンター３との間でそれぞれ通信を行う通信手段を備えている。
【００８２】
上記構成により、以下に、その動作について説明する。
【００８３】
まず、被監視者側の携帯電話装置１に対して、位置検索センター２を介してサービスセンター３から位置情報検索処理が要求されると、携帯電話装置１では、ＧＰＳ衛星５または基地局・中継局６を通じて自らの位置情報を取得し、携帯電話装置１から位置検索センター２を介してサービスセンター３に携帯電話装置１の位置情報、即ち、被監視者の位置情報を通知する。
【００８４】
次に、サービスセンター３において、このようにして取得された被監視者の位置情報が被監視者の設定行動範囲または行動パターンから外れているかどうかが照合されて検出され、被監視者の設定行動範囲または行動パターンから外れている場合に、サービスセンター３から監視者側の携帯電話装置４に連絡する。なお、この事例では、Ｅメールによりサービスセンター３から監視者側の携帯電話装置４に「被監視者のエリア外通知」が発信されるが、他の方法であってもよい。
【００８５】
この「被監視者のエリア外通知」のとき、監視者側の携帯電話装置４または／およびサービスセンター３から、被監視者側の携帯電話装置１に対して本人および状況認証要求を行う。
【００８６】
この本人および状況認証は、被監視人が登録した本人および状況認証情報のうち、被監視者が持つ固有の情報（具体的には指紋や目の虹彩、顔などの情報）とセンサなどの本人および状況認証手段１２による測定情報とを照合することにより行われる。この照合に一致または不一致した情報に対応する被監視人の意思を表す情報が本人および状況認証結果情報となる。
【００８７】
この本人および状況認証結果情報は、被監視者側の携帯電話装置１から監視者側の携帯電話装置４または／およびサービスセンター３に連絡され、本人および状況認証結果情報に基づいて監視者側から音声により安否確認を行うことができる。
【００８８】
以下に、被監視者側の携帯電話装置１からの本人および状況認証結果情報による監視者の対応について、図２のフローチャートを用いて説明する。
【００８９】
この本人および状況認証結果情報としては、「本人（ＳＯＳ）」、「本人（通常）」と「本人（ＮＧ）」および「認証なし」の４通りが考えられる。
まず、ステップＳ１において、監視者側の携帯電話装置４または／およびサービスセンター３からの本人および状況認証要求に対して所定時間内に、監視者側の携帯電話装置４または／およびサービスセンター３に本人および状況認証結果が報告されたかどうかを検出する。
【００９０】
次に、ステップＳ２において、本人および状況認証結果が報告された場合（本人および状況認証があった場合）に、その本人および状況認証結果から、第１の「本人（ＳＯＳ）」、第２の「本人（通常）」および第３の「本人（ＮＧ）」のいずれであるかを判別する認証判別処理を行う。これをサービスセンター３または携帯電話装置１から監視者側の携帯電話装置４に報知する。
【００９１】
第１の「本人（ＳＯＳ）」として、被監視人（本人）による認証（通常）ではあるが、被監視人からＳＯＳが発信されているような危険状態を示す認証が行われた場合（Ｃａｓｅ１）には、監視人側では、「被監視者（本人）が危険な状態であることが察知され、監視者は、被監視者に連絡したり、また、警察に通報するなどの対処を行うことができる。」ことが分る。これをサービスセンター３などから監視者側の携帯電話装置４に音声で報知したり、監視者側の携帯電話装置４の表示画面上にその旨を表示させて監視者側に報知したりしてもよい。
【００９２】
第２の「本人（通常）」として、本人（通常）による認証であり、通常状態を示す認証が行われた場合（Ｃａｓｅ２）には、監視者側では、「被監視者が危険な状態ではないと判断され、監視者は、被監視者に連絡を取って適切な指示を与えることができる。」ことが分る。これをサービスセンター３などから監視者側の携帯電話装置４に音声で報知したり、監視者側の携帯電話装置４の表示画面上にその旨を表示させて監視者側に報知したりしてもよい。
【００９３】
第３の「本人（ＮＧ）」として、本人による認証ではない場合（Ｃａｓｅ３）には、ステップＳ３で、念のため、本人および状況認証を複数回行わせる。その上で、照合不一致「本人（ＮＧ）」で、さらに本人ではないと判断された場合に、監視者側では、「被監視者が危険な状態であるか、または携帯電話装置１の紛失などにより第三者により対応されたというような異常な状態であると判断され、監視者は、警察に通報するなどの対処を行うことができる。」ことが分る。これをサービスセンター３などから監視者側の携帯電話装置４に音声で報知したり、監視者側の携帯電話装置４の表示画面上にその旨を表示させて監視者側に報知したりしてもよい。
【００９４】
一方、第４の「認証なし」として、本人および状況認証が行われなかった場合（Ｃａｓｅ４）には、まず、ステップＳ４において、必ず本人および状況認証が行われるよう、サービスセンター３は監視者からの要求を受けるなどして、被監視者側の携帯電話装置１にアラームを鳴らすなどの警告を出力して本人および状況認証を要求（以下、アラーム付き本人および状況認証要求と呼ぶ）する。
次に、ステップＳ５で、本人および状況認証が行われるまで、被監視者の携帯電話装置１のアラームを鳴らし続ける。
さらに、ステップＳ５でさらに所定時間以内で、本人および状況認証が行われたかどうかを判断する。その所定時間以内で、本人および状況認証が行われた場合には、ステップＳ２の本人および状況認証判断処理に移行して、上記Ｃａｓｅ１〜３のように対処することができる。
また、その所定時間が経過しても本人および状況認証が行われなかった場合には、監視者側では、「被監視者が危険な状態であるか、または携帯電話装置１の紛失などにより対処できない異常な状態であると判断され、監視者は、警察に通報するなど、種々の対処をすることができる。」ことが分る。これをサービスセンター３などから監視者側の携帯電話装置４に音声で報知したり、監視者側の携帯電話装置４の表示画面上にその旨を表示させて監視者側に報知したりしてもよい。なお、アラームは、本人および状況認証要求に注意を払わせるためのものであり、本人および状況認証が行われるまで鳴り続けるようにしてもよい。
【００９５】
このように、被監視者側の携帯電話装置１に指紋センサなどの本人および状況認証手段１２を備えることによって、被監視者以外の第三者が本人に成りすまして応答することができなくなる。これに加えて、被監視者が危険な状態であるか、通常の状態であるかという認証情報の設定は被監視者のみが知り得る情報であるため、被監視者が認証情報と照合する際（本人および状況認証の際）、ＳＯＳ発信したことを第三者に気づかれることなく監視者に連絡することができる。さらに被監視者からの応答がないなど、被監視者の意図が知らされない状況でも、異常状態であると状況判断することができる。
【００９６】
以下に、本発明の安全確認システムの実施形態について、さらに詳細に説明する。
【００９７】
図３は、安全確認システム１０の通信路構成例を示すブロック図である。なお、図１では、位置検索センター２とサービスセンター３とを別々に構成しているが、図３ではこれらをサービスセンター３Ａとして統一して示している。以下、これについて説明する。
【００９８】
図３において、図１の安全確認システム１０は、サーバとしてのサービスセンター３Ａと監視者側の携帯電話装置４との間で通信を行うための第１のデータ通信路Ａと、サービスセンター３Ａと被監視者側の携帯電話装置１との間で通信を行うための第２のデータ通信路Ｂと、監視者側の携帯電話装置４と被監視者側の携帯電話装置１との間で通信を行うための電話回線通信路Ｃと、被監視者の携帯電話装置１とＧＰＳ衛星５との間で通信を行うための衛星通信路Ｄとを有している。
【００９９】
サービスセンター３Ａは、監視者側の携帯電話装置４との間（第１のデータ通信路Ａ）および被監視者側の携帯電話装置１との間（第２のデータ通信路Ｂ）での通信を行う通信手段３１を有している。また、サービスセンター３Ａには、監視者の連絡先や監視者を識別するための監視者情報（ＩＤ、パスワード、電話番号など）を記憶する監視者情報記憶手段３２と、被監視者５を識別するための被監視者情報（ＩＤ、パスワード、電話番号など）を記憶する被監視者情報記憶手段３３と、被監視者の行動範囲情報などが記憶された行動範囲情報記憶手段３４と、被監視者の携帯電話装置１の位置情報を取得して記憶する位置情報記憶手段３５とを有している。
【０１００】
監視者は、双方向通信機能を有する監視者側の携帯電話装置４から第１のデータ通信路Ａを経由してサービスセンター３Ａにアクセスし、被監視者の行動範囲および位置的時間的な行動パターンをサービスセンター３Ａの行動範囲情報記憶手段３１に設定登録することができる。このように、被監視者の行動範囲および位置的時間的な行動パターン情報は、監視者によって自由に登録可能であり、適宜更新される。
【０１０１】
サービスセンター３Ａは、第２のデータ通信路Ｂを経由して被監視者によって携帯される携帯電話装置１にアクセスし、被監視者の位置確認を行ったり、本人および状況認証処理によって被監視者本人であるかどうかを確認したりできる。
【０１０２】
監視者側の携帯電話装置４と被監視者側の携帯電話装置１は、電話回線通信路Ｃを経由して通信することにより、通常の音声による会話を行うことができる。
【０１０３】
被監視者側の携帯電話装置１は、衛星通信路Ｄを経由してＧＰＳ衛星５などから自らの位置情報を得ることができる。
【０１０４】
ここで、本実施形態に係る安全確認システム１０において、主要な役割を果たしている被監視者側の携帯電話装置１およびサービスセンター３Ａについて、図４および図５を用いて更に詳細に説明する。なお、これらの図面において、本発明に関係しない機能については、その表記を省略している。
【０１０５】
図４は、図３の被監視者側の携帯電話装置１の具体的構成例を示すブロック図である。
【０１０６】
図４において、被監視者側の携帯電話装置１は、全体の制御を行う制御部１４と、各種情報を表示する表示部１５と、各種情報の入力を行う操作部１６と、被監視者の意志に対応した複数の本人および状況認証情報を記憶する認証情報記憶手段としての第１の記憶部１７１と、サービスセンター３Ａとの間でデータの送受信を行う被監視者−サーバ通信手段としての第１の通信部１３１と、監視者に携帯される携帯電話装置４または一般電話装置と通信して会話するための監視者−被監視者通信手段としての第２の通信部１３２と、衛星通信路Ｄを経由してＧＰＳ衛星５などから携帯電話装置１の位置情報を取得する位置取得手段としての第３の通信部１３３と、本人および状況認証処理を行うためのセンサ手段を構成する認証部１２１とを有している。これらの制御部１４および第３の通信部１３３により位置情報取得手段１１が構成され、ＧＰＳ衛星５および基地局・中継局６から自らの位置情報を取得する。また、これらの制御部１４、第１の記憶部１７１および認証部１２１により本人および状況認証手段１２が構成され、本人および状況認証処理を行う。さらに、これらの制御部１４、第１の通信部１３１、第２の通信部１３２および第３の通信部１３３により通信手段１３が構成され、通信手段１３によってサービスセンター３Ａおよび監視者側の携帯電話装置４などとの間で通信を行うことができる。
【０１０７】
制御部１４は、ＣＰＵよりなる中央演算処理部１４１と、メイン制御プログラムが格納されたメインプログラム格納部１４２とを有しており、メインプログラム格納部１４２を利用して、表示部１５、操作部１６、第１の記憶部１７１、第１の通信部１３１、第２の通信部１３２、第３の通信部１３３および認証部１２１などの各制御が行われる。
【０１０８】
第１の記憶部１７１には、被監視者の認証情報として例えば指紋データが記憶されており、指紋センサなどからなる認証部１２１で採取された指紋データに対して、第１の記憶部１７１の認証情報との照合が行われる。この認証情報は、被監視者の指紋データと、その指紋データに対応付けられた被監視者５の意図情報とによって構成されている。この認証情報には、被監視者が安全状態であるか、または危険状態であるかを表す認証情報が設定されており、例えばその一例を示すと、右手人指し指で指紋照合を行った場合には“無事である”という意味を示し、右手中指で指紋照合を行った場合には“ＳＯＳ（助けて）“という意味を示すことができる。
【０１０９】
第１の通信部１３１は、双方向通信が可能な第２のデータ通信路Ｂを経由してサービスセンター３Ａと接続可能とされる。
【０１１０】
第２の通信部１３２は、電話回線通信路Ｃを経由して監視者の携帯電話装置４や一般電話装置などと接続可能とされる。
【０１１１】
第３の通信部１３３は、衛星通信路Ｄを経由してＧＰＳ衛星５などと接続可能とされ、被監視者側の携帯電話装置１の位置情報が取得可能とされる。
【０１１２】
表示部１５は、被監視者側の携帯電話装置１に搭載されている表示装置であり、液晶表示パネルなどが用いられている。被監視者はこの表示部１５に表示された内容を参照しながら、電話をかけたり、本人および状況認証などの操作を行ったりすることができる。
【０１１３】
操作部１６は、被監視者が携帯電話装置１を操作するために使用するものであり、例えばスイッチやボタンなどの入力部によって構成されている。
【０１１４】
図５は、図３のサービスセンター３Ａの具体的構成例を示すブロック図である。
【０１１５】
図５において、このサービスセンター３Ａは、全体的な制御を行う制御部３６と、監視者の連絡先が記憶される監視者情報記憶手段３２としての第１の記憶部と、被監視者を識別するための被監視者情報記憶手段３３としての第２の記憶部と、監視者または被監視者によって設定された被監視者の行動範囲および位置的な行動パターンを記憶する行動範囲情報記憶手段３４としての第３の記憶部と、監視者側の携帯電話装置４との間でデータ送受信を行うサーバ−監視者通信手段としての第１の通信部３１１と、被監視者側の携帯電話装置１との間でデータ送受信を行うサーバ−被監視者通信手段としての第２の通信部３１２とを有している。これらの第１の通信部３１１および第２の通信部３１２により通信手段３１が構成されている。
【０１１６】
制御部３６は、ＣＰＵである中央演算処理部３６１と、メイン制御プログラムが格納されたメインプログラム格納手段３６２とを有しており、メイン制御プログラムに基づいて、サービスセンター３Ａ全体の制御が行われる。なお、制御部３６には、上記位置情報と行動範囲情報記憶手段３４に記憶された範囲との関係を検出する行動検出手段（図示せず）が設けられている。この行動検出手段（図示せず）は、被監視者側の端末装置１の位置情報が予め設定された行動範囲または行動パターンから外れたかどうかを検出する。その後、制御部３６は、被監視者側の端末装置１の位置情報が予め設定された行動範囲または行動パターンから外れたかどうかをサーバのサービスセンター３から監視者側の端末装置４に連絡を行い、監視者側の端末装置４からの要求に従ってサーバから被監視者側の端末装置１に本人および状況認証を求め、被監視者側の端末装置１にて行った本人および状況認証の結果情報をサービスセンター３側に入手してサービスセンター３側から監視者側の端末装置４に連絡し、本人および状況認証結果情報に基づいて被監視者の状況を監視者側の端末装置４に報知させるように制御する。
【０１１７】
第１の記憶部（監視者情報記憶手段３２）には、監視者を識別するための情報や監視者の連絡先の情報（ＩＤ、パスワード、電話番号など）が記憶されている。この第１の記憶部には、複数の監視者の連絡先が記憶されていてもよい。
【０１１８】
第２の記憶部（被監視者情報記憶手段３３）には、被監視者を識別するための情報（ＩＤ、パスワード、電話番号など）が記憶されている。
【０１１９】
第３の記憶部（行動範囲情報記憶手段３４）には、監視者または被監視者などによって設定された被監視者の行動範囲および位置的な行動パターンなどの情報が記憶されている。
【０１２０】
第１の通信部３１１は、双方向通信が可能な第１のデータ通信路Ａを経由して監視者側の携帯電話装置４に接続される。
【０１２１】
第２の通信部３１２、第２のデータ通信路Ｂを経由して、被監視者側の携帯電話装置１に接続される。
【０１２２】
上記構成により、以下に、本実施形態の安全確認システムを用いた安全確認方法について説明する。
【０１２３】
図３に示すように、監視者は、携帯電話装置４を用いて第１のデータ通信路Ａを経由して、予め被監視者の行動範囲をサービスセンター３Ａに設定すると共にサービスセンター３Ａに登録を行う。この登録されるデータは、監視者を識別するための情報と監視者の連絡先（例えばＩＤやパスワード、電話番号など）を含む監視者情報、被監視者を識別するための情報（例えばＩＤやパスワード、電話番号、メールアドレスなど）を含む被監視者情報、被監視者の通常行動範囲（例えば〜市、〜町などのエリア情報）および位置的な行動パターン（時間によって行動範囲が異なる場合など）を含む行動範囲情報である。これらの監視者情報、被監視者情報および行動範囲情報は、サービスセンター４の図５の第１の記憶部〜第３の記憶部にそれぞれ記憶される。なお、これらの情報は、被監視者自身によって、携帯電話装置１を用いて、第２のデータ通信路Ｂを経由してサービスセンター３Ａに登録を行ってもよい。
【０１２４】
一方、被監視者は、サービスセンター３Ａからの登録指示に基づいて、本人および状況認証情報を携帯電話装置１に登録する。この本人および状況認証情報は、指紋、虹彩および顔などの本人および状況認証情報であり、本実施形態では指紋を用いて説明する。例えば、被監視者は、異常時に助けを求める「ＳＯＳ指」を人指し指、問題が無いときに無事を知らせる「通常指」を中指と決めて、図４に示す携帯電話装置１の第１の記憶部１７１内にそれぞれの指紋データとそれに対応する情報とを登録する。携帯電話装置１は、サービスセンター３Ａに本人および状況認証情報の登録が完了したことを通知するが、指紋データは携帯電話装置１内にのみ登録され、サービスセンター３Ａには登録されない。これは、個人データを保護するためである。また、被監視者は、自分の行動範囲または行動パターンを外れた場合に指紋認証要求（本人および状況認証要求）を受けたときの着信設定を行う。
【０１２５】
サービスセンター３Ａでは、第２のデータ通信路Ｂを経由して、常に被監視者の携帯電話装置１から位置情報を入手し、第３の記憶部（行動範囲情報記憶手段３４）に設定された範囲を外れているか否かを自動的に判断する。携帯電話装置１の位置情報が第３の記憶部（行動範囲情報記憶手段３４）に設定された範囲外になったときには、第１の記憶部（監視者情報記憶手段３２）に記憶されている監視者の連絡先（電話番号）へ通知する。複数の連絡先が設定されている場合には、第１優先の連絡先から順に連絡し、第１優先の連絡先が設定時間応答しない場合や携帯電話装置４が圏外にある場合など、第１優先の連絡先が連絡不能である場合には、第２優先の連絡先に連絡する。第２優先以降の連絡先も応答不能の場合には、次優先の連絡先へ通知する。応答されなかった連絡先には、サービスセンター３Ａから自動応答メッセージが残されるようになっている。
【０１２６】
上記連絡を受けた監視者からの本人および状況認証要求を受けて、またはサービスセンター３Ａ自体に設けられた自動本人および状況認証要求機能によって、サービスセンター３Ａは、携帯電話装置１に対して本人および状況認証要求を行って、被監視者の意志やその状態を確認する。
【０１２７】
監視者またはサービスセンター３Ａからの本人および状況認証要求に対して、被監視者は、上記着信設定によって、指紋認証要求で呼び出されたことを認識し、被監視者が危険な状況と判断した場合には「ＳＯＳ指」である人指し指で、危険な状況でない場合には「通常指」である中指で指紋認証を行ってから電話に出ることができる。
【０１２８】
これにより、被監視者が自らの意思で行動範囲を外れてしまった場合には、中指で照合することにより無事であるというデータをサービスセンター３Ａを介して監視者に知らせることができる。また、電話で通話できるような状況であれば、電話回線通信路Ｃを経由して被監視者から監視者に直接電話をかけることもできる。一方、被監視者が自らの意思ではなく、誘拐などの事件に巻き込まれ場合には、人指し指で照合することにより”ＳＯＳ（助けて）”というデータをサービスセンター３Ａを介して監視者に知らせることができる。
【０１２９】
以下、図６〜図１０を用いて、本実施形態の安全確認方法の詳細なフローについて説明する。
【０１３０】
図６は、図３のサービスセンター３Ａへの登録設定フロー（その１；登録設定１）を説明するためのフローチャートである。
【０１３１】
この登録設定１は、監視者または／および被監視者（主に監視者）により行われ、被監視者の携帯電話装置１から登録操作が行われる。この登録設定１のフローは次の通りである。
【０１３２】
図６に示すように、まず、ステップＴ１１において、監視者または被監視者は、被監視者側の携帯電話装置１からサービスセンター３Ａにアクセスする。
【０１３３】
次に、ステップＴ１２において、サービスセンター３Ａからの指示に従って、「通常（無事である）指」と「ＳＯＳ（助けて）指」について、被監視者側の携帯電話装置１に被監視者の指紋データをそれぞれ登録する。この指紋データは、携帯電話装置１内にのみ登録され、携帯電話装置１からサービスセンター３Ａに対して「通常指」および「ＳＯＳ指」それぞれの指紋登録が完了したことを連絡する。
【０１３４】
さらに、ステップＴ１３において、監視者を識別するための情報を登録する。ここでは、監視者用のＩＤと、設定内容が変更された場合に連絡を受信するメールアドレスが登録される。この監視者情報は複数件登録可能である。
【０１３５】
さらに、ステップＴ１４において、被監視者の行動範囲を設定し、次のステップＴ１５において被監視者の行動範囲および位置的で時間的な行動パターンを設定する。
【０１３６】
さらに、ステップＴ１５において、被監視者がその行動範囲または行動パターンを逸脱したときに、その知らせを受ける監視者の連絡先を登録する。この連絡先は、優先順位を決めて複数件登録可能である。
【０１３７】
さらに、ステップ１６において、上記登録設定で、異常状態か通常状態かの判断基準とするため、被監視者がアラーム付き本人および状況認証要求命令に応答するまでの時間を設定することにより、登録設定１の処理が完了する。
【０１３８】
図７は、図３のサービスセンターへの登録設定フロー（その２；登録設定２）を説明するためのフローチャートである。この登録設定２は、監視者により行われ、被監視者側の携帯電話装置１またはその他の端末装置（インターネット、ｉモードなど）によって登録操作が可能である。この登録設定２のフローは以下の通りである。
【０１３９】
図６に示す登録設定１のフロー図による登録設定１が完了すると、まず、ステップＴ２１において、監視者は、被監視者側の携帯電話装置１またはその他の端末装置からサービスセンター３Ａへアクセスする。ここで、被監視者側の携帯電話装置１以外からサービスセンター３Ａへアクセスした場合には、ステップＴ２２において、被監視者側の携帯電話装置１の電話番号を入力する。
【０１４０】
次に、ステップＴ２３において、登録設定１のステップＴ１３で設定された監視者のＩＤを入力し、パスワードを設定することにより、登録設定２の処理が完了する。
【０１４１】
図８は、図３のサービスセンターへの登録内容変更のフローを説明するためのフローチャートである。
【０１４２】
この登録内容変更は、監視者が登録内容を確認または変更するために行われ、被監視者の携帯電話装置１またはその他の端末装置（インターネット、ｉモードなど）によって操作が可能である。上記登録設定１および登録設定２の内容変更は、監視者のみが可能であり、被監視者は設定内容を変更することはできない。この登録内容変更のフローは以下の通りである。
【０１４３】
図８に示すように、まず、ステップＴ３１において、監視者は、被監視者側の携帯電話装置１またはその他の端末装置からサービスセンター３Ａへアクセスする。ここで、被監視者側の携帯電話装置１以外からサービスセンター３Ａへアクセスした場合には、ステップＴ３２において、被監視者側の携帯電話装置１の電話番号を入力する。
【０１４４】
次に、ステップＴ３２において、上記登録設定１のステップＴ１３および登録設定２のステップＴ２３で設定された監視者のＩＤおよびパスワードを入力してログインする。
【０１４５】
さらに、ステップＴ３４で登録設定内容を変更するかどうかを確認し、ステップＴ３４で登録設定内容を変更する場合（ＹＥＳ）には、次のステップＴ３５の処理に進み、設定内容を変更することができる。ただし、設定登録１のステップＴ１３で設定された内容変更は、ログインしている監視者本人の情報のみが変更可能である。また、被監視者側の指紋情報を変更する場合には、被監視者側の携帯電話装置１から操作している場合にのみ可能であり、被監視者の「通常指」で本人および状況認証を行うことが必要である。
【０１４６】
上記設定内容が変更されると、次のステップＴ３６において、被監視者と監視者に「設定内容が変更されました」というメッセージが、設定登録１のステップＴ１３で設定されたメールアドレスに送信され、設定内容変更の処理が完了する。ここで、監視者が複数登録されている場合には、それぞれの監視者にメッセージが送られる。
【０１４７】
一方、ステップＴ３４で登録設定内容を変更せず、確認する場合（ＮＯ）には、次のステップＴ４１の処理に進み、設定内容を確認することができる。ただし、設定登録１のステップＴ１３で設定された内容については、ログインしている監視者本人以外の情報はＩＤのみが表示される。また、被監視者の指紋情報については、「登録済み」または「未登録」のメッセージのみが表示される。以上により、設定内容確認の処理が完了する。
【０１４８】
図９は、図３のサービスセンター３Ａへの登録内容確認のフローを説明するためのフローチャートである。
【０１４９】
この登録内容確認は、被監視者が登録内容を確認するために行われ、被監視者側の携帯電話装置１によってのみ操作が可能である。このとき、被監視者は、設定内容を変更することはできない。この登録内容確認のフローは以下の通りである。
【０１５０】
図９に示すように、まず、ステップＴ５１において、被監視者は被監視者側の携帯電話装置１からサービスセンター３Ａへアクセスする。
【０１５１】
次に、ステップＴ５２において、被監視者は「通常指」によって本人および状況認証を行うことにより、ステップＴ５３において設定内容を確認することができる。このとき、被監視者の指紋情報については、「登録済み」または「未登録」のメッセージのみが表示され、設定内容確認の処理が完了する。
【０１５２】
図１０は、図３の被監視者側の携帯電話装置１の位置情報が、登録されている「行動範囲または行動パターン」を外れた場合のフローを説明するためのフローチャートである。
【０１５３】
図１０に示すように、まず、ステップＤ１１において、被監視者側の携帯電話装置１の位置情報が、登録設定１のステップＴ１４で被監視者側の携帯電話装置１から登録設定された行動範囲または行動パターンから外れたとき、サービスセンター３Ａは、ステップＴ１５で登録されている監視者の連絡先に携帯電話装置１が行動範囲または行動パターンを外れている旨の位置情報などを連絡する。
【０１５４】
次に、ステップＤ１２では監視者に連絡できたかどうかを判定する。ステップＤ１２で監視者に連絡できない場合（ＮＯ）には、ステップＤ１３で次優先の連絡先へ連絡が送られる。連絡できなかった連絡先には、サーバのサービスセンター３Ａに、このサービスセンター３Ａからの自動応答メッセージが残される。
【０１５５】
ステップＤ１２で監視者に連絡できた場合（ＹＥＳ）、サービスセンター３Ａからの連絡に応答した監視者は、ステップＤ２１において、送られてきた位置情報などにより被監視者が危険（異常）な状況であるか否かを判断する。
【０１５６】
ステップＤ２１で、送られてきた位置情報に基づいて被監視者が危険（異常）な状況ではないと監視者が判断して、監視者が装置に何らかのアクション（特定タイミングに特定スイッチを押すなど）をしたことを装置側が検出したときに、ステップ３１の処理に進み、監視者から被監視者に通常の電話やメールなどにより連絡を取り、状況を確かめることができる。
【０１５７】
ステップＤ２１で、送られてきた位置情報に基づいて被監視者が危険（異常）な状況であると監視者が判断して、監視者が装置に何らかのアクション（特定タイミングに特定スイッチを押すなど）をしたことを装置側が検出したときに、ステップＤ２２において、監視者はサービスセンター３Ａに対して指紋認証要求を行った後、被監視者側の携帯電話装置１に連絡を取る。
【０１５８】
サービスセンター３Ａは監視者側の携帯電話装置４から指紋認証要求を受けると、ステップＤ２３において、認証機能付携帯電話装置１に指紋認証要求を行い、本人および状況認証処理結果を待つ。
【０１５９】
ステップＤ２４．１．１において、被監視者が「ＳＯＳ指」を用いて本人および状況認証を行って監視者からの連絡に応答した場合（Ｃａｓｅ１）には、ステップＤ２４．１．２において、サービスセンター３Ａは通話前に携帯電話装置１の認証結果（「ＳＯＳ指」で本人および状況認証された旨）と位置情報とを画面表示または音声などにより監視者に連絡する。これにより、ステップＤ２４．１．３において、監視者は被監視者が危険な状況にあることを知った上で、被監視者と話をすることができる。通話後に警察に連絡するなど、各種の対処をすることができる。
【０１６０】
ステップＤ２４．２．１において、被監視者５が「通常指」を用いて本人および状況認証を行って監視者からの連絡に応答した場合（Ｃａｓｅ２）には、ステップＤ２４．２．２において、サービスセンター３Ａは通話前に携帯電話装置１の認証結果（「通常指」で認証された旨）と位置情報を画面表示または音声などで監視者に連絡する。これにより、ステップＤ２４．２．３において、監視者は被監視者が危険な状態ではないことを知り、適切な指示を与えることができる。
【０１６１】
ステップＤ２４．３．１において、指紋認証が行われずに監視者からの連絡に応答した場合（Ｃａｓｅ３）には、ステップＤ２４．３．１において、サービスセンター３Ａは通話前に携帯電話装置１の認証結果（認証されなかった旨）と位置情報を画面表示または音声などで監視者に連絡する。これにより、ステップＤ２４．３．３において、監視者は電話で話をすることなどにより状況確認して判断することができる。
【０１６２】
ステップＤ２４．４．１において、指紋認証が行われず、かつ、監視者からの連絡に応答しなかった場合（Ｃａｓｅ４）には、ステップＤ２４．４．２において、監視者はサービスセンター３Ａに対してアラーム付指紋認証要求を行った後、再度、携帯電話装置１に連絡を取る。ステップＤ２４．４．３において、サービスセンター３Ａはアラーム付指紋認証要求を受けて、携帯電話装置１にアラーム付指紋認証要求を行い、認証結果を待つ。ステップＤ２４．４．４において、アラーム付指紋認証要求を受けた携帯電話装置１は、その保有者（被監視者）による指紋認証が行われるまで、アラームが鳴り続ける。ステップＤ２４．４．５において、登録設定１のステップＴ１６で設定された時間までに携帯電話装置１からの応答がなかった場合（ＮＯ）には、Ｄ２４．４．６において、サービスセンター３Ａは監視者に被監視者が異常な状態であることと携帯電話装置１の位置情報の詳細を連絡する。これにより、ステップＤ２４．４．７において、監視者は被監視者が異常な状態であることを知り、警察に連絡するなど、種々の対処をすることができる。また、ステップＤ２４．４．５において、登録設定１のステップＴ１６で設定された時間までに携帯電話装置１の応答があった場合には、Ｃａｓｅ１〜Ｃａｓｅ３に対応して、Ｄ２４．１．１、Ｄ２４．２．１またはＤ２４．３．１のいずれかにより対応することができる。
【０１６３】
以上のように、本実施形態の安全確認システム１０によれば、複数の指紋データとそのデータが意味する情報を予め登録しておくことによって、被監視者が誘拐などの危険な状態や携帯電話装置の紛失などの異常な状態にある場合でも、被監視者の意思を監視者が認識することができる。
【０１６４】
なお、本実施形態では、図５に示すように、監視者に関する情報を記憶する監視者情報記憶手段３２として第１の記憶部を、被監視者に関する情報を記憶する被監視者情報記憶手段３３として第２の記憶部を、被監視者の行動範囲および行動パターンを記憶する行動範囲情報記憶手段３４としての第３の記憶部を、サーバとしてのサービスセンター３Ａに設けたが、これに代えて、これらは被監視者側の端末装置（携帯電話装置１）に設けられていてもよい。例えば、図４に点線で示すように、携帯電話装置１に監視者情報記憶手段として第２の記憶部１７２を、被監視者情報記憶手段として第３の記憶部１７３を、行動範囲情報記憶手段としての第４の記憶部１７４を設けることができる。
【０１６５】
さらに、被監視者側の携帯電話装置１に、電源が切断されないバックアップ電源手段を設けて、誘拐などの場合に被監視者が応答できないように犯人から電源が切られた場合であっても、位置情報取得手段により位置情報を取得可能としたり、本人および状況認証を可能とすることができる。
【０１６６】
さらに、本実施形態では、指紋センサにより本人および状況認証を行ったが、本人および状況認証手段は、虹彩や顔など、指紋データ以外の各種方法により本人を認証可能なセンサであってもよい。
【０１６７】
さらに、本実施形態では、被監視者の端末装置の位置情報を取得するために、ＧＰＳ衛星５から衛星通信路Ｄを介して第３の通信部１３３により位置情報を取得する位置取得手段１１を設けたが、ＧＰＳ衛星に加えて位置基準局もしくはＧＰＳ以外の衛星による位置補強システムを用いて、図４に点線で示すようにＤＧＰＳ情報１９をＤＧＰＳ通信路Ｅを介して第４の通信部１３４により位置情報として取得するようにしてもよい。また、図１に示したように携帯電話装置の基地局もしくは中継局６から位置情報を取得するようにしてもよく、またはこれらの手法を組み合わせて位置情報を取得するようにしてもよい。
【０１６８】
さらに、携帯電話装置１の位置情報を記憶する位置情報記憶手段１７５として、図４に点線で示すような第５の記憶部を携帯電話装置１に設けて、位置情報取得手段１１により取得された端末装置の位置情報を所定の時間毎に記憶させるようにしてもよい。これにより、通信手段１３によって外部との連絡が取れない場合に、その位置情報記憶手段１７５に、端末装置の位置情報と時刻情報とを記憶させておくことができる。この位置情報記憶手段１７５として、図５に点線で示すような第４の記憶部（位置情報記憶手段３５）をサーバ（サービスセンター３Ａ）側に設けてもよい。
【０１６９】
さらに、その位置情報記憶手段１７５に、時刻情報として、ＧＰＳ衛星からの時刻情報を記憶させてもよい。さらに、時刻を刻む時計機能を設けて、時計機能の時刻を記憶させてもよい。
【０１７０】
さらに、本実施形態では、位置情報取得手段１１により取得された端末装置の位置情報が、行動範囲情報記憶手段３４に予め設定された範囲外であるときに、監視者へ連絡して被監視者の安全確認を行ったが、端末装置の位置情報が、行動範囲情報記憶手段３４に予め設定された範囲内であるときに、所定の時間毎に、監視者へ連絡して被監視者の安全確認を行うようにしてもよい。
【０１７１】
さらに、位置情報記憶手段３５を設けた場合に、位置情報記憶手段３５に記憶された端末装置の位置情報が予め設定された速度以上で変化するときに、被監視者に異常が起こっているかもしれないので、監視者へ連絡して被監視者の安全確認を行うことができる。また、位置情報記憶手段３５に記憶された端末装置の位置情報が予め設定された時間以上変化しないときに、監視者へ連絡して被監視者の安全確認を行うことができる。さらに、被監視者の端末装置から位置情報を所定時間入手できない場合にも、サーバ（サービスセンター３Ａ）側から監視者に連絡して被監視者の安全確認を行うことができる。
【０１７２】
さらに、本実施形態では、サービスセンター３Ａは所定の間隔で被監視者の端末装置の位置情報を取得しているが、被監視者の端末装置の位置情報が行動範囲情報記憶手段３４に記憶された範囲外になったときに、行動範囲内である場合よりも短い時間間隔で被監視者の端末装置の位置情報を取得してもよい。それとは逆に、被監視者の端末装置の位置情報が行動範囲情報記憶手段３４に記憶された範囲内になったときに、行動範囲外である場合よりも長い時間間隔で被監視者の端末装置の位置情報を取得することによって、端末装置の電源使用量を少なくして位置情報を長時間得ることができる。さらに、被監視者の端末装置の電源容量が残り少ないと判明した場合に、被監視者の電源容量が残り少ないと判明する以前よりも長い時間間隔で被監視者の端末装置の位置情報を取得することによって、端末装置の電源使用量を少なくして位置情報を長時間得ることができる。
【０１７３】
さらに、本実施形態では、監視者からの要求によってサーバ（サービスセンター３Ａ）から被監視者へ本人および状況認証要求を行っているが、監視者からの要求がなくても、自動的に被監視者へ本人および状況認証要求を行う自動認証要求手段をサーバ（サービスセンター３Ａ）側に設けてもよい。この場合に、行動範囲外になったときなどに自動的に本人および状況認証要求を行って安全確認するようにしてもよい。
【０１７４】
さらに、図４に点線で示すように、携帯電話装置１に音声出力部１８を設けて、認証要求に対応して端末呼出し音と思わせるための音声を記憶させておき、記憶された音声を再生することによって、監視者から被監視者への本人および状況認証要求時に音声出力手段に登録された音声を再生することにより、被監視者の周囲に認証要求が行われていることを意識させずに、被監視者に認証要求を知らせることができる。さらに、アラーム出力手段は、音声出力部１８に含まれる。
【０１７５】
さらに、コンピュータが本発明を実行するソフトウェアについて繰り返して説明する。
【０１７６】
上記実施形態の安全確認システム１０を簡単に説明すると、上記メインプログラム格納手段１４２，３６２に格納された制御プログラムおよびそのデータに基づいて、被監視者側の端末装置１の位置情報が予め設定された行動範囲または行動パターンから外れたときに、その旨をサーバ（サービスセンター３）から監視者側の端末装置４に連絡を行うステップと、監視者側の端末装置４からの要求に従ってサーバから被監視者側の端末装置１に本人および状況認証を求めるステップと、被監視者側の端末装置１にて行った本人および状況認証の結果情報をサーバ側に入手してサーバ側から監視者側の端末装置４に連絡するステップとをサーバ側にて実行し、本人および状況認証結果情報に基づいて被監視者の状況を監視者側の端末装置４に報知させる。
【０１７７】
または、サーバ（サービスセンター３）を用いない場合、被監視者側の端末装置１側にそのサーバの機能を持たせる。即ち、本発明の安全確認システムとして、上記メインプログラム格納手段１４２，３６２に格納される制御プログラムおよびそのデータに基づいて、被監視者側の端末装置１の位置情報が予め設定された行動範囲または行動パターンから外れたときに、その旨を被監視者側の端末装置１から監視者側の端末装置４に連絡を行うステップと、監視者側の端末装置４からの要求に従って被監視者側の端末装置１に本人および状況認証を求めるステップと、被監視者側の端末装置１にて行った本人および状況認証の結果情報を監視者側の端末装置４に連絡するステップとを被監視者側の端末装置１にて実行し、本人および状況認証結果情報に基づいて被監視者の状況を監視者側の端末装置４に報知させる。
【０１７８】
さらに、サーバまたは被監視者側の端末装置１に、本人および状況認証結果情報が本人による認証ではあるが、危険状態を示す認証結果の場合には、「被監視者が危険な状態であり、被監視者に連絡を取るか、または警察に通報する」旨の意味を示す情報を監視者側の端末装置４に連絡するステップを有する。
【０１７９】
また、サーバまたは被監視者側の端末装置１に、本人および状況認証結果情報が本人による認証であり、通常状態を示す認証結果の場合に、「被監視者が危険な状態ではなく、被監視者に連絡を取って適切な指示を与える」旨の意味を示す情報を監視者側の端末装置４に連絡するステップを有する。
【０１８０】
さらに、サーバまたは被監視者側の端末装置１に、本人および状況認証結果情報が本人による認証でない場合に、複数回本人および状況認証要求を要求し、さらに一定期間内に本人による認証が得られなかった場合に、「被監視者が危険な状態であるか、または第三者による認証が行われたという異常な状態である」旨の意味を示す情報を監視者側の端末装置４に連絡するステップを有する。
【０１８１】
さらに、サーバまたは被監視者側の端末装置１に、本人および状況認証処理が行われなかった場合に、被監視者側の端末装置１に対して警告が出力されるように要求するか、または被監視者側の端末装置１に警告を出力し、一定期間内に本人および状況認証処理が行われなかった場合に、「被監視者が危険な状態である」旨の意味を示す情報を監視者側の端末装置４に連絡するステップを有する。
【０１８２】
このように、上記安全確認方法の各ステップをコンピュータに実行させるための制御プログラムが格納されたコンピュータ読み取り可能な可読記録媒体としては、上記メインプログラム格納手段１４２，３６２やその他の各種記憶手段があるが、これは、ハードディスク、光ディスク、磁気ディスク、ＩＣメモリなどで構成されている。また、ハードディスク、光ディスク、磁気ディスク、ＩＣメモリ、無線やインターネットなどから上記メインプログラム格納手段１４２，３６２に上記プログラムがダウンロードされてもよい。
【０１８３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１８４】
本発明は、被監視者が誘拐などの事件に遭遇した場合など、被監視者の所在地と安全状況などの現在置かれている状況を確認可能とする安全確認システム、安全確認方法、これらに用いられる被監視者側の端末装置およびサーバ、この安全確認方法をコンピュータに実行させるための制御プログラムおよびこれを記録した可読記録媒体の分野において、ＧＰＳ機能付き携帯電話装置などのような位置情報取得手段を有する端末装置に本人および状況認証手段を搭載することによって、被監視者が位置情報により予め定められた行動範囲または行動パターンから外れた場合に、監視者へ連絡して、監視者からの要求に応じて、予め登録された個人認証方法により、被監視者が危険状態であるか、または安全状態であるかを監視者へ知らせることができる。
【０１８５】
また、被監視者に携帯される携帯電話装置などの端末装置に指紋センサなどの認証機能を備えることにより、被監視者以外の第三者が本人になりすまして応答できないようにしている。さらに、危険常態であるか安全常態であるかを示す認証情報は被監視者のみが知り得る情報であるため、第三者に気付かれることなく、監視者に連絡することができる。
【図面の簡単な説明】
【０１８６】
【図１】本発明の実施形態に係る安全確認システムの要部構成例を示すブロック図である。
【図２】図１の安全確認システムを用いた安全確認方法の実施形態を説明するためのフローチャートである。
【図３】図１の安全確認システムの通信路構成例を示すブロック図である。
【図４】図３の被監視者側の携帯電話装置の具体的構成例を示すブロック図である。
【図５】図３のサービスセンターの具体的構成例を示すブロック図である。
【図６】図３のサービスセンターへの登録設定フロー（その１）を説明するためのフローチャートである。
【図７】図３のサービスセンターへの登録設定フロー（その２）を説明するためのフローチャートである。
【図８】図３のサービスセンターへの登録内容変更のフローを説明するためのフローチャートである。
【図９】図３のサービスセンターへの登録内容確認のフローを説明するためのフローチャートである。
【図１０】図３の被監視者側の携帯電話装置１の位置情報が、登録されている「行動範囲または行動パターン」を外れた場合のフローを説明するためのフローチャートである。
【図１１】特許文献１に開示されている従来のエリア監視システムの概略構成例を示すブロック図である。
【符号の説明】
【０１８７】
１  被監視者側の携帯電話装置
１１  位置情報取得手段
１２  本人および状況認証手段
１２１  認証部
１３  通信手段
１３１  第１の通信路
１３２  第２の通信路
１３３  第３の通信路
１３４  第４の通信部
１４  被監視者側の携帯電話装置制御部
１４１  中央演算処理部
１４２  メインプログラム格納手段
１５  表示部
１６  操作部
１７１  第１の記憶部（認証情報記憶部）
１７２  第２の記憶部（監視者情報記憶部）
１７３  第３の記憶部（被監視者情報記憶部）
１７４  第４の記憶部（行動範囲情報記憶部）
１７５  第５の記憶部（位置情報記憶部）
１８  音声出力部
１９  ＤＧＰＳ情報部
２  位置検索センター
３，３Ａ  サービスセンター
３１１  第１の通信部
３１２  第２の通信部
３２  監視者情報記憶手段
３３  被監視者情報記憶手段
３４  行動範囲情報記憶手段
３５  位置情報記憶手段
３６  サービスセンター制御部
３６１  中央演算処理部
３６２  メイン制御プログラム格納部
４  監視者側の携帯電話装置
５  ＧＰＳ衛星
６  基地局または中継局
１０  安全確認システム
Ａ  第１のデータ通信路
Ｂ  第２のデータ通信路
Ｃ  電話回線通信路
Ｄ  衛星通信路
Ｅ  ＤＧＰＳ通信路
【図１】
2006350869.tif 000003
【図２】
2006350869.tif 000004
【図３】
2006350869.tif 000005
【図４】
2006350869.tif 000006
【図５】
2006350869.tif 000007
【図６】
2006350869.tif 000008
【図７】
2006350869.tif 000009
【図８】
2006350869.tif 000010
【図９】
2006350869.tif 000011
【図１０】
2006350869.tif 000012
【図１１】
2006350869.tif 000013